【手続補正書】
【提出日】平成18年6月8日(2006.6.8)
【手続補正１】
【補正対象書類名】明細書
【補正対象項目名】特許請求の範囲
【補正方法】変更
【補正の内容】
【特許請求の範囲】
【請求項１】  スライダー本体を有する空気ベアリング式の低圧スライダーであって、該スライダー本体は前エッジ、該スライダー本体に沿って長手方向に延びる内側エッジ及び外側エッジ、並びに後エッジにより画定され、該スライダー本体が、
少なくとも第１及び第２レールを有する空気ベアリング面と、
前記スライダー本体の前記内側エッジから前記外側エッジまで延びるとともに、前記スライダーの前記前エッジから前記第１及び第２レールの前部まで延び、さらに前記第１及び第２レールより低い高さを有する前部分と、
前記前部分の後方かつ前記第１レールと前記第２レールとの間を延び、第１の深さを有する第１の領域及び該第１の深さよりも深い第２の深さを有する第２の領域に少なくとも分割される低圧領域とを有する、低圧スライダー。
【請求項２】  前記第１の領域は、前記スライダー本体の前記前部分から前記第１レールと前記第２レールとの間を延び、前記第２の領域は前記スライダー本体の外側後部の四半部に独占的に配置される、請求項１に記載の低圧スライダー。
【請求項３】  前記第１の領域は前記スライダー本体の前部分から前記低圧領域の内側半分に延び、前記第２の領域は前記スライダー本体の前部分から前記第１レールと前記第２レールとの間の前記低圧領域の外側半分に延びる、請求項１に記載の低圧スライダー。
【請求項４】  前記第２領域は前記低圧領域の外側半分に配置され、前記第１領域は前記スライダー本体の前部分から前記スライダー本体の内側半分に延び、さらに該第１領域は、前記スライダー本体の前部分に沿って前記第２領域と前記第１及び第２レールのいずれか一方との間を延びる溝を有する、請求項１に記載の低圧スライダー。
【請求項５】  前記スライダー本体の前記後エッジに近接配置される後部パッドをさらに有し、前記第１領域は前部分から前記第１レールと前記第２レールとの間に延び、前記第２領域は該後部パッドの周りに配置される、請求項１に記載の低圧スライダー。
【請求項６】  前記第１の領域は０．５１〜２．５マイクロメートルの深さを有し、前記第２の領域は０．５１〜５．１マイクロメートルの深さを有する、請求項１〜５のいずれか１項に記載の低圧スライダー。
【請求項７】  前記低圧領域が第１、第２、第３及び第４の領域に分割される、請求項１に記載の低圧スライダー。
【請求項８】  スライダー本体を有するスライダーを具備するヘッドジンバルアセンブリであって、該スライダー本体は前エッジ、該スライダー本体に沿って長手方向に延びる内側エッジ及び外側エッジ、並びに後エッジにより画定され、該スライダー本体が、
少なくとも第１及び第２レールを有する空気ベアリング面と、
前記スライダー本体の前記内側エッジから前記外側エッジまで延びるとともに、前記スライダーの前記前エッジから前記第１及び第２レールの前部まで延び、さらに前記第１及び第２レールより低い高さを有する前部分と、
前記前部分の後方かつ前記第１レールと前記第２レールとの間を延び、第１の深さを有する第１の領域及び該第１の深さよりも深い第２の深さを有する第２の領域に少なくとも分割される低圧領域とを有する、ヘッドジンバルアセンブリ。
【請求項９】  前記第１の領域が前記スライダー本体の前記前部分から前記第１レールと前記第２レールとの間を延び、前記第２の領域が前記スライダー本体の外側後部の四半部に独占的に配置される、請求項８に記載のヘッドジンバルアセンブリ。
【請求項１０】  前記第１の領域が前記スライダー本体の前部分から前記低圧領域の内側半分に延び、前記第２の領域が前記スライダー本体の前部分から前記第１レールと前記第２レールとの間の前記低圧領域の外側半分に延びる、請求項８に記載のヘッドジンバルアセンブリ。
【請求項１１】  前記第２領域は前記低圧領域の外側半分に配置され、前記第１領域は前記スライダー本体の前部分から前記スライダー本体の内側半分に延び、さらに該第１領域は、前記スライダー本体の前部分に沿って前記第２領域と前記第１及び第２レールのいずれか一方との間を延びる溝を有する、請求項８に記載のヘッドジンバルアセンブリ。
【請求項１２】  前記スライダーは、前記スライダーの前記後エッジに近接配置される後部パッドをさらに有し、前記第１領域は前部分から前記第１レールと前記第２レールとの間に延び、前記第２領域は該後部パッドの周りに配置される、請求項８に記載のヘッドジンバルアセンブリ。
【請求項１３】  前記第１の領域は０．５１〜２．５マイクロメートルの深さを有し、前記第２の領域は０．５１〜５．１マイクロメートルの深さを有する、請求項８〜１２のいずれか１項に記載のヘッドジンバルアセンブリ。
【請求項１４】  前記低圧領域が第１、第２、第３及び第４の領域に分割される、請求項８に記載のヘッドジンバルアセンブリ。
【請求項１５】  回転可能なディスクと、アクチュエーターに接続されるとともに、スライダー本体を有するスライダーを具備するヘッドジンバルアセンブリとを有するディスクドライブであって、
該スライダー本体は前エッジ、該スライダー本体に沿って長手方向に延びる内側エッジ及び外側エッジ、並びに後エッジにより画定され、該スライダー本体が、
少なくとも第１及び第２レールを有する空気ベアリング面と、
前記スライダー本体の前記内側エッジから前記外側エッジまで延びるとともに、前記スライダーの前記前エッジから前記第１及び第２レールの前部まで延び、さらに前記第１及び第２レールより低い高さを有する前部分と、
前記前部分の後方かつ前記第１レールと前記第２レールとの間を延び、第１の深さを有する第１の領域及び該第１の深さよりも深い第２の深さを有する第２の領域に少なくとも分割される低圧領域とを有する、ディスクドライブ。
【請求項１６】  前記第１の領域が前記スライダー本体の前記前部分から前記第１レールと前記第２レールとの間を延び、前記第２の領域が前記スライダー本体の外側後部の四半部に配置される、請求項１５に記載のディスクドライブ。
【請求項１７】  前記第１の領域が前記スライダー本体の前部分から前記低圧領域の内側半分に延び、前記第２の領域が前記スライダー本体の前部分から前記第１レールと前記第２レールとの間の前記低圧領域の外側半分に延びる、請求項１５に記載のディスクドライブ。
【請求項１８】  前記第２領域は前記低圧領域の外側半分に配置され、前記第１領域は前記スライダー本体の前部分から前記スライダー本体の内側半分に延び、さらに該第１領域は、前記スライダー本体の前部分に沿って前記第２領域と前記第１及び第２レールのいずれか一方との間を延びる溝を有する、請求項１５に記載のディスクドライブ。
【請求項１９】  前記スライダーは、前記スライダーの前記後エッジに近接配置される後部パッドをさらに有し、前記第１領域は前部分から前記第１レールと前記第２レールとの間に延び、前記第２領域は該後部パッドの周りに配置される、請求項１５に記載のディスクドライブ。
【請求項２０】  前記第１の領域は０．５１〜２．５マイクロメートルの深さを有し、前記第２の領域は０．５１〜５．１マイクロメートルの深さを有する、請求項１５〜１９のいずれか１項に記載のディスクドライブ。
【請求項２１】  前記低圧領域が第１、第２、第３及び第４の領域に分割される、請求項１５に記載のディスクドライブ。